(57)【要約】【課題】プロジェクタの製造コストの低減及びコンパクト化を図る。【解決手段】ポリゴンミラーの回転に同期させてＬＥＤを順次に点灯する。ポリゴンミラーがＲ光反射位置に回転してきたときは、Ｒ光がＲ光反射面で反射してＲ光が効率良くロッドインテグレータに入射する。ポリゴンミラーがＧ光反射位置に回転してきたときは、Ｇ光がＧ光反射面で反射してＧ光が効率良くロッドインテグレータに入射する。ポリゴンミラーがＢ光反射位置に回転してきたときは、Ｂ光がＢ光反射面で反射してＢ光が効率良くロッドインテグレータに入射する。【選択図】図５
2011253079.tif 000002
【特許請求の範囲】
【請求項１】
発光色が異なる複数の発光素子を並列し、互いの照明光軸が近づくように前記発光素子から照射された照明光を単一の光インテグレータに順次に入射させ、前記光インテグレータに入射したそれぞれの照明光を前記複数の発光素子の発光タイミングに同期して駆動される画像表示素子に照射して面順次式に画像光を生成するプロジェクタ用照明装置において、
前記複数の発光素子の照明光軸の各々を含む面に垂直な軸を中心に回動自在に設けられ、前記発光素子からの照明光を反射する少なくとも３つ以上の反射面が前記軸周りに配置されるとともに、隣り合う前記反射面同士のなす角度の少なくとも１つは他の前記角度と異なる回転多面体鏡と、
一定速度で回転する前記回転多面体鏡の回転に同期させて前記複数の発光素子を順次に発光させ、前記複数の発光素子から順次に放射される照明光を前記光インテグレータに入射させる同期制御手段とを備えたプロジェクタ用照明装置。
【請求項２】
前記複数の発光素子は、第１の成分色光を発光する第１発光素子と、第２の成分色光を発光する第２発光素子と、第３の成分色光を発光する第３発光素子とからなり、
前記反射面を６面で構成し、
前記第１の成分色光を反射する第１反射面と、前記第２の成分色光を反射する第２反射面と、前記第３の成分色光を反射する第３反射面とを順に前記軸周りに配置して前記第１〜前記第３反射面を２面づつ設け、
前記画像表示素子は、前記第１〜第３発光素子の発光タイミングに同期してそれぞれの成分色光に対応する画像を表示するように駆動され、
前記同期制御手段は、回転する前記回転多面体鏡の前記第１〜第３反射面で前記第１〜第３の成分色光が反射するタイミングで前記第１〜第３発光素子を発光させることを特徴とする請求項１記載のプロジェクタ用照明装置。
【請求項３】
発光色が異なる複数の発光素子を並列し、互いの照明光軸が同一面内で平行になるように前記発光素子から照射された照明光を単一の光インテグレータに順次に入射させ、前記光インテグレータに入射したそれぞれの照明光を前記複数の発光素子の発光タイミングに同期して駆動される画像表示素子に照射して面順次式に画像光を生成するプロジェクタ用照明装置において、
回転中心となる軸の軸周りに前記発光素子からの照明光を反射する少なくとも３つ以上の反射面が配置された回転多面体鏡と、
一定速度で回転する前記回転多面体鏡の回転に同期させて前記複数の発光素子を順次に発光させ、前記複数の発光素子から順次に放射される照明光を前記光インテグレータに入射させる同期制御手段とを備え、
前記軸は、前記照明光軸の各々を含む面と平行かつ前記照明光軸の各々と直交し、
前記反射面は、前記軸の軸方向に沿って並べた少なくとも３つ以上の傾斜面を有するとともに、隣り合う前記傾斜面同士のなす角度の少なくとも１つは他の前記角度と異なることを特徴とするプロジェクタ用照明装置。
【請求項４】
前記複数の発光素子は、第１の成分色光を発光する第１発光素子と、第２の成分色光を発光する第２発光素子と、第３の成分色光を発光する第３発光素子とからなり、
前記傾斜面を３面で構成し、
前記第１の成分色光を反射する第１傾斜面と、前記第２の成分色光を反射する第２傾斜面と、前記第３の成分色光を反射する第３傾斜面とを前記軸方向に沿って並べ、
前記画像表示素子は、前記第１〜第３発光素子の発光タイミングに同期してそれぞれの成分色光に対応する画像を表示するように駆動され、
前記同期制御手段は、回転する前記回転多面体鏡の前記第１〜第３反射面で前記第１〜第３の成分色光が反射するタイミングで前記第１〜第３発光素子を発光させることを特徴とする請求項３記載のプロジェクタ用照明装置。
【請求項５】
前記第１〜第３発光素子が、それぞれ成分色光として赤色光、青色光、緑色光を発光する発光ダイオード又はレーザーダイオードであることを特徴とする請求項２又は４のいずれかに記載のプロジェクタ用照明装置。
【発明の詳細な説明】
【技術分野】
【０００１】
本発明は、発光色が異なる複数の発光素子を使用するプロジェクタ用照明装置に関するものである。
【背景技術】
【０００２】
液晶パネルやＤＭＤ（デジタルマイクロミラーデバイス）などの画像表示素子に画像を表示し、光源からの照明光によってスクリーンに画像を投映するプロジェクタが種々製品化されている。これらのプロジェクタには、照明用の光源としてキセノンランプやメタルハライドランプのほか、最近では発光ダイオード（ＬＥＤ）やレーザーダイオード（ＬＤ）のような固体発光素子も用いられてきている。
【０００３】
特にＬＥＤは、カラー画像の再生に必要な赤色（Ｒ）、緑色（Ｇ）、青色（Ｂ）の発光色を個別に得ることができることから、各色の画像を時系列に画像表示素子に表示させ、これに同期してＬＥＤからの各色の照明光を順次に画像表示素子に照射する面順次式のプロジェクタの光源に適している。面順次式のプロジェクタは、画像表示素子が一枚あればよく、またＬＥＤなどの固体発光素子を用いれば、白色の照明光をＲ，Ｇ，Ｂの成分色光に分解する色分解光学系も不要で、軽量・コンパクト化が容易である。
【０００４】
一方、プロジェクタでは光源からの照明光を画像表示素子の表示面に均一な強度分布で照射することができるように、通常、光インテグレータが用いられている。光インテグレータには、フライアイレンズを利用したものや、角柱状あるいは角筒状のロッドインテグレータを用いたものが知られているが、入射した照明光がもつ光量の強度分布ムラを解消し、画像表示素子の表示面上では照明光の強度分布を均一にする作用をもつ。
【０００５】
特許文献１で知られる面順次式のプロジェクタでは、３種類のＬＥＤを順次に駆動して得られるＲ，Ｇ，Ｂの照明光を損失なくロッドインテグレータに入射させるために、これらのＬＥＤをロッドインテグレータの光軸上に順次に移動させるようにしている。
【先行技術文献】
【特許文献】
【０００６】
【特許文献１】特開２００３−３４６５０３号公報
【発明の概要】
【発明が解決しようとする課題】
【０００７】
特許文献１記載のプロジェクタは、３種類のＬＥＤがロッドインテグレータに常に一定の条件で各色の照明光を入射させることができるため、光量損失もなく画像表示素子の表示面上では均一な照明光が得られるという利点はあるものの、ＬＥＤを高速で回転あるいは進退させなくてはならず、その駆動機構が複雑化しやすい。また、ＬＥＤに駆動電流を供給するための配線の引き回しや接点構造にも工夫を要し、製造コストを上昇させ、あるいはコンパクト化の妨げになるおそれもある。
【０００８】
本発明は上記事情を考慮してなされたもので、その目的は、製造コストの低減及びコンパクト化を図ることができるプロジェクタ用照明装置を提供することにある。
【課題を解決するための手段】
【０００９】
上記目的を達成するにあたり、請求項１記載の発明は、発光色が異なる複数の発光素子を並列し、互いの照明光軸が近づくように前記発光素子から照射された照明光を単一の光インテグレータに順次に入射させ、前記光インテグレータに入射したそれぞれの照明光を前記複数の発光素子の発光タイミングに同期して駆動される画像表示素子に照射して面順次式に画像光を生成するプロジェクタ用照明装置において、前記複数の発光素子の照明光軸の各々を含む面に垂直な軸を中心に回動自在に設けられ、前記発光素子からの照明光を反射する少なくとも３つ以上の反射面が前記軸周りに配置されるとともに、隣り合う前記反射面同士のなす角度の少なくとも１つは他の前記角度と異なる回転多面体鏡と、一定速度で回転する前記回転多面体鏡の回転に同期させて前記複数の発光素子を順次に発光させ、前記複数の発光素子から順次に放射される照明光を前記光インテグレータに入射させる同期制御手段とを備えたものである。
【００１０】
また、請求項２記載の発明は、前記複数の発光素子は、第１の成分色光を発光する第１発光素子と、第２の成分色光を発光する第２発光素子と、第３の成分色光を発光する第３発光素子とからなり、前記反射面を６面で構成し、前記第１の成分色光を反射する第１反射面と、前記第２の成分色光を反射する第２反射面と、前記第３の成分色光を反射する第３反射面とを順に前記軸周りに配置して前記第１〜前記第３反射面を２面づつ設け、前記画像表示素子は、前記第１〜第３発光素子の発光タイミングに同期してそれぞれの成分色光に対応する画像を表示するように駆動され、前記同期制御手段は、回転する前記回転多面体鏡の前記第１〜第３反射面で前記第１〜第３の成分色光が反射するタイミングで前記第１〜第３発光素子を発光させるものである。
【００１１】
また、請求項３記載の発明は、発光色が異なる複数の発光素子を並列し、互いの照明光軸が同一面内で平行になるように前記発光素子から照射された照明光を単一の光インテグレータに順次に入射させ、前記光インテグレータに入射したそれぞれの照明光を前記複数の発光素子の発光タイミングに同期して駆動される画像表示素子に照射して面順次式に画像光を生成するプロジェクタ用照明装置において、
回転中心となる軸の軸周りに前記発光素子からの照明光を反射する少なくとも３つ以上の反射面が配置された回転多面体鏡と、一定速度で回転する前記回転多面体鏡の回転に同期させて前記複数の発光素子を順次に発光させ、前記複数の発光素子から順次に放射される照明光を前記光インテグレータに入射させる同期制御手段とを備え、前記軸は、前記照明光軸の各々を含む面と平行かつ前記照明光軸の各々と直交し、前記反射面は、前記軸の軸方向に沿って並べた少なくとも３つ以上の傾斜面を有するとともに、隣り合う前記傾斜面同士のなす角度の少なくとも１つは他の前記角度と異なるものである。
【００１２】
また、請求項４記載の発明は、前記複数の発光素子は、第１の成分色光を発光する第１発光素子と、第２の成分色光を発光する第２発光素子と、第３の成分色光を発光する第３発光素子とからなり、前記傾斜面を３面で構成し、前記第１の成分色光を反射する第１傾斜面と、前記第２の成分色光を反射する第２傾斜面と、前記第３の成分色光を反射する第３傾斜面とを前記軸方向に沿って並べ、前記画像表示素子は、前記第１〜第３発光素子の発光タイミングに同期してそれぞれの成分色光に対応する画像を表示するように駆動され、前記同期制御手段は、回転する前記回転多面体鏡の前記第１〜第３反射面で前記第１〜第３の成分色光が反射するタイミングで前記第１〜第３発光素子を発光させるものである。
【００１３】
また、請求項５記載の発明は、前記第１〜第３発光素子が、それぞれ成分色光として赤色光、青色光、緑色光を発光する発光ダイオード又はレーザーダイオードであるものである。
【発明の効果】
【００１４】
本発明によれば、発光素子の駆動機構が不要になり、また、発光素子に駆動電流を供給するための複雑な配線や接点構造も不要になるため、製造コストの低減及びコンパクト化を図ることができる。
【００１５】
また、複数の発光素子を第１〜第３発光素子で構成すると、回転多面体鏡の駆動制御を簡単にしながら、３つの成分色光による画像光を生成することができる。
【００１６】
さらに、第１〜第３発光素子が発光ダイオード又はレーザーダイオードであると、色分解光学系が不要になるので、照明装置を小型化することができる。
【図面の簡単な説明】
【００１７】
【図１】プロジェクタの外観斜視図である。
【図２】プロジェクタ全体の概略的な構成及びポリゴンミラーがＧ光反射位置に回転した状態を示す説明図である。
【図３】ポリゴンミラーがＢ光反射位置に回転した状態を示す説明図である。
【図４】ポリゴンミラーがＲ光反射位置に回転した状態を示す説明図である。
【図５】各色光の照射とポリゴンミラーが回転とＬＣＤパネルでの画像表示とを同期させたときの各々のタイミングを示すタイミングチャートである。
【図６】第２の実施形態に係るポリゴンミラーの外観斜視図である。
【図７】第２の実施形態に係るポリゴンミラーの側面図である。
【図８】第２の実施形態に係るプロジェクタ全体の概略的な構成を示す説明図である。
【図９】第２の実施形態における各色光の照射とポリゴンミラーが回転とＬＣＤパネルでの画像表示とを同期させたときの各々のタイミングを示すタイミングチャートである。
【発明を実施するための形態】
【００１８】
先ず第１実施形態について説明する。
【００１９】
図１に示すように、携帯用のプロジェクタ１０は、略直方体をした筐体１１を備えている。筐体１１の前面からは投映レンズ１２が外部に露呈しており、投映レンズ１２からスクリーン上に画像光が投映される。筐体１１の側面には電源スイッチ１３が設けられている。電源スイッチ１３のスライド操作により、プロジェクタ１０の電源のオン／オフが切り替えられる。
【００２０】
図２〜図４に示すように、プロジェクタ１０は、照明光学系２０、ＬＣＤパネル２１、投映レンズ１２を備えている。プロジェクタ１０は、照明光学系２０でＬＣＤパネル２１を照明し、ＬＣＤパネル２１を透過した画像光を投映レンズ１２によりスクリーン１５上に投映する。
【００２１】
照明光学系２０は、ＬＥＤ２２，２３，２４、プリズム２５、集光レンズ２６、ロッドインテグレータ２７、リレーレンズ２８を備えている。ＬＥＤ２２はＲ（赤）光、ＬＥＤ２３はＧ（緑）光、ＬＥＤ２４はＢ（青）光を照射する。
【００２２】
ＬＥＤ２２〜２４は一列に並べられている。ＬＥＤ２２からのＲ光、ＬＥＤ２３からのＧ光及びＬＥＤ２４からのＢ光は光軸の向きを変化させるプリズム２５に入射する。プリズム２５は、Ｒ，Ｇ，Ｂ光の入射面は平面になっている。また、Ｇ光の出射面はＲ，Ｇ，Ｂ光の入射面と平行になっており、Ｒ光及びＢ光の出射面は中央部から端部に向けて下り傾斜している。Ｒ，Ｇ，Ｂ光がプリズム２５を通過するとＲ光の光軸Ｌ１及びＢ光の光軸Ｌ３が光軸Ｌ２に近づくようにその向きが変化する。プリズム２５を通過したＲ，Ｇ，Ｂ光は６角の角柱状に形成されたポリゴンミラー２９に導かれる。
【００２３】
ポリゴンミラー２９は、光軸Ｌ１〜Ｌ３を含む面に垂直な軸２９ａに回転自在に軸支されており、図２中反時計周りに回転する。軸２９ａ周りには、Ｒ光反射面２９ｂ、Ｇ光反射面２９ｃ、Ｂ光反射面２９ｄが２面ずつ計６面設けられている。これらの反射面２９ｂ〜２９ｄは、Ｒ光反射面２９ｂ→Ｂ光反射面２９ｄ→Ｇ光反射面２９ｃの順に軸２９ａ回りに並べて配置されており、隣接する反射面同士は連なっている。そして、反射面２９ｂと反射面２９ｄとが連なって形成される頂角の角度と、反射面２９ｂと反射面２９ｃとが連なって形成される頂角の角度と、反射面２９ｃと反射面２９ｄとが連なって形成される頂角の角度とは互いに異なっている。ＬＥＤ２２〜２４はポリゴンミラー２９の回転に併せて順次に発光する。そして、Ｒ光反射面２９ｂでＲ光が反射し、Ｇ光反射面２９ｃでＧ光が反射し、Ｂ光反射面２９ｄでＢ光が反射する。反射した各色光はロッドインテグレータ２７に導かれる。反射後の照明光の光軸Ｌ１〜Ｌ３は、ポリゴンミラー２９の回転により一定範囲でその向きが変化するが、光軸Ｌ１〜Ｌ３の向きが変化しても効率良くロッドインテグレータ２７に各色光が入射するように各反射面２９ｂ〜２９ｄの角度が決められている。集光レンズ２６、ロッドインテグレータ２７、リレーレンズ２８は同一直線上に配置されており、反射後の光軸Ｌ１〜Ｌ３は各色光が各反射面２９ｂ〜２９ｄの中心で反射したときにこの直線上を通る。以下、Ｒ光反射面２９ｂが各色光を反射するポリゴンミラー２９の回転位置をＲ光反射位置（図４に示す位置）、Ｇ光反射面２９ｃが各色光を反射するポリゴンミラー２９の回転位置をＧ光反射位置（図２に示す位置）、Ｂ光反射面２９ｄが各色光を反射するポリゴンミラー２９の回転位置をＢ光反射位置（図３に示す位置）と称する。また、図中では、Ｒ光反射面２９ｂの近傍に「Ｒ」、Ｇ光反射面２９ｃの近傍に「Ｇ」、Ｂ光反射面２９ｄの近傍に「Ｂ」と便宜上付して説明する。
【００２４】
ＣＰＵ３０はメモリ３１からプロジェクタ１０の駆動プログラムを読み出すことによって、プロジェクタ１０全体の動作を管制する。ＣＰＵ３０はＬＥＤ２２〜２４の点灯制御を行って、ＬＥＤ２２〜２４を所定の順序（ＬＥＤ２２→ＬＥＤ２３→ＬＥＤ２４→ＬＥＤ２２→・・）で順次に切り替えて発光させる。
【００２５】
ポリゴンミラー２９の軸２９ａはステッピングモータ３２の駆動によって一定速度で回転する。ステッピングモータ３２の駆動制御はＣＰＵ３０によって行われる。ＣＰＵ３０は、ポリゴンミラー２９の回転に同期させてＬＥＤ２２〜２４を順次に切り替えて発光させる。
【００２６】
ステッピングモータ３２は、ＣＰＵ３０から供給された駆動パルスの個数に応じた回転角で回転する。ポリゴンミラー２９には、各反射面２９ｂ〜２９ｄの面内方向と直交する側面の一方に基準位置マーク２９ｅが設けられている。マーク検出センサ３３は基準位置マーク２９ｅの通過を検出し、この検出信号をポリゴンミラー２９の基準位置を示すリセット信号としてＣＰＵ３０に入力する。
【００２７】
ＣＰＵ３０は、ステッピングモータ３２に供給された駆動パルスの個数を計数するパルスカウンタを備えている。ＣＰＵ３０は、マーク検出センサ３３からリセット信号が入力されたときにパルスカウンタのカウント値をクリアする。したがって、パルスカウンタには、ポリゴンミラー２９の１回転内の回転角に対応した駆動パルスの個数が逐次に更新しながら保存されることになる。
【００２８】
メモリ３１には回転位置テーブルが格納されている。回転位置テーブルでは、ポリゴンミラー２９の基準位置からの回転角に対応した駆動パルスの個数と、各反射面２９ｂ〜２９ｄの回転位置とが対応付けられている。ＣＰＵ３０は、この回転位置テーブルを参照しながらパルスカウンタのカウント値を監視することによって、ポリゴンミラー２９の回転位置がＲ光反射位置、Ｇ光反射位置、Ｂ光反射位置のいずれかにあるかを識別できる。
【００２９】
集光レンズ２６は、ポリゴンミラー２９の各反射面２９ｂ〜２９ｄからの反射光を集光する。集光レンズ２６で集光した反射光はロッドインテグレータ２７に入射する。集光レンズ２６を用いることで、ポリゴンミラー２９の回転に伴って反射後の光軸の位置が変化しても効率良くロッドインテグレータ２７に照明光を入射させることができる。
【００３０】
ロッドインテグレータ２７は、ＬＥＤ２２〜２４からの各色の光束の密度を均一化することにより、ＬＣＤの受光面の光強度分布をその中心から周辺部まで均一にする。ロッドインテグレータ２７に入射した光束は、その内部で全反射を繰り返して重畳され、そこから出射される光束の密度が均一化される。
【００３１】
リレーレンズ２８は、２つのレンズ３４，３５で構成されており、ロッドインテグレータ２７の出射面２７ｂから出射された光をＬＣＤパネル２１の受光面に結像する。ＬＣＤパネル２１を透過して生成された画像光は投映レンズ１２に入射する。投映レンズ１２から出射された画像光はスクリーン１５に投影される。ＣＰＵ３０は、Ｒ光が照射されたときは、赤色で表示する画像をＬＣＤパネル２１で表示させる。同様に、ＣＰＵ３０は、Ｇ光が照射されたときは、緑色で表示する画像をＬＣＤパネル２１で表示させ、Ｂ光が照射されたときは、青色で表示する成分をＬＣＤパネル２１で表示させる。これにより、各色に対応する画像光を得ることができ、各色と各色に対応する画像を高速で切り替えることにより、カラー画像を得ることができる。
【００３２】
次に、ＬＥＤ２２〜２４の切り替えとポリゴンミラー２９の回転を同期させる際の処理の流れを説明する。
【００３３】
図５に示すように、電源スイッチ１３がオンされると、ポリゴンミラー２９が回転開始する。ポリゴンミラー２９がＲ光反射位置に回転してきたときにＬＥＤ２２が点灯してＲ光が照射される。ポリゴンミラー２９がＲ光反射位置に回転してきたときは、Ｒ光はＲ光反射面２９ｂで反射してロッドインテグレータ２７に入射する。Ｒ光の照射中にＬＣＤパネル２１ではＲ光に対応する画像が表示される。ポリゴンミラー２９がＲ光反射位置を通過し終える前にＬＥＤ２２が消灯するとともにＬＣＤパネル２１の画像表示が終了する。ポリゴンミラー２９がＲ光反射位置で回転しているときには、Ｒ光の光軸Ｌ１がロッドインテグレータ２７の入射面２７ａに効率良く入射するように反射後の照明光の光軸Ｌ１の向きがポリゴンミラー２９の回転に伴って変化する。
【００３４】
ＬＥＤ２２の消灯後、ポリゴンミラー２９がＧ光反射位置に回転してきたときにＬＥＤ２３が点灯してＧ光が照射される。このとき、Ｇ光はＧ光反射面２９ｃで反射してロッドインテグレータ２７に入射する。Ｇ光の照射中にＬＣＤパネル２１ではＧ光に対応する画像が表示される。ポリゴンミラー２９がＧ光反射位置を通過し終える前にＬＥＤ２３が消灯するとともにＬＣＤパネル２１の画像表示が終了する。ポリゴンミラー２９がＧ光反射位置で回転しているときには、Ｇ光の光軸Ｌ２がロッドインテグレータ２７の入射面２７ａに効率良く入射するように反射後の照明光の光軸Ｌ２の向きがポリゴンミラー２９の回転に伴って変化する。
【００３５】
ＬＥＤ２３の消灯後、ポリゴンミラー２９がＢ光反射位置に回転してきたときにＬＥＤ２４が点灯してＢ光が照射される。このとき、Ｂ光はＢ光反射面２９ｄで反射してロッドインテグレータ２７に入射する。Ｂ光の照射中にＬＣＤパネル２１ではＢ光に対応する画像が表示される。ポリゴンミラー２９がＢ光反射位置を通過し終える前にＬＥＤ２４が消灯するとともにＬＣＤパネル２１の画像表示が終了する。ポリゴンミラー２９がＢ光反射位置で回転しているときには、Ｂ光の光軸Ｌ３がロッドインテグレータ２７の入射面２７ａに効率良く入射するように反射後の照明光の光軸Ｌ３の向きがポリゴンミラー２９の回転に伴って変化する。
【００３６】
ＬＥＤ２４の消灯後、ＬＥＤ２２が点灯してＲ光が照射され、上記の処理が繰り替えされる。このように、ＬＥＤ２２〜２４をポリゴンミラー２９の回転に同期させて点灯するので、各色の光を均等にロッドインテグレータ２７に入射させることができる。
【００３７】
ロッドインテグレータ２７で密度が均一化された各色の光束は、リレーレンズ２８を通過してＬＣＤパネル２１の受光面に結像する。ＬＣＤパネル２１を透過した画像光は投映レンズ１２に入射し、投映レンズ１２から出射された画像光はスクリーン１５上に投影される。
【００３８】
次に第２実施形態について説明するが、第１実施形態と同一の部材については同一の符号を付して詳しい説明を省略する。第２実施形態では、第１実施形態とポリゴンミラー及びＬＥＤの配列方向が異なる。
【００３９】
図６〜図８に示すように、ＬＥＤ２２〜２４は一列に並列されており、各ＬＥＤ２２〜２４からの照明光の光軸Ｌ１〜Ｌ３は同一面内で互いに平行になっている。ポリゴンミラー４０は、ＬＥＤ２２〜２４の各々を含む面と平行かつ各光軸Ｌ１〜Ｌ３と直交する軸４０ａに回転自在に軸支されている。ポリゴンミラー４０は横断面が正６角形の略角錐台形状に形成されている。軸４０ａ周りには、各々が連なった６面の反射面４０ｂが設けられている。Ｒ，Ｇ，Ｂ光は反射面４０ｂで反射してロッドインテグレータ２７に導かれる。反射面４０ｂはＲ光を反射するＲ光反射面４０ｃ、Ｇ光反射面４０ｄ、Ｂ光反射面４０ｅからなる。各反射面４０ｃ〜４０ｅは、軸４０ａの軸方向に並べられるとともに各々が連なっている。各反射面４０ｃ〜４０ｅは、隣り合う反射面同士のなす角度が互いに異なるように一定角度で傾斜している。ＬＥＤ２２〜２４はポリゴンミラー４０の回転に併せて順次に発光する。そして、反射面４０ｃでＲ光が反射し、反射面４０ｄでＧ光が反射し、反射面４０ｅでＢ光が反射する。反射した各色光はロッドインテグレータ２７に導かれる。反射後の照明光の光軸Ｌ１〜Ｌ３は、ポリゴンミラー４０の回転により一定範囲でその向きが変化するが、光軸Ｌ１〜Ｌ３の向きが変化しても効率良くロッドインテグレータ２７に各色光が入射するように各反射面４０ｃ〜４０ｅの角度が決められている。なお、図中では、Ｒ光反射面４０ｃに「Ｒ」、Ｇ光反射面４０ｄに「Ｇ」、Ｂ光反射面４０ｅに「Ｂ」と便宜上付して説明する。
【００４０】
第１実施形態と同様にポリゴンミラー４０の軸４０ａはステッピングモータ３２の駆動によって一定速度で回転する。ステッピングモータ３２の駆動制御はＣＰＵ３０によって行われる。ＣＰＵ３０は、ポリゴンミラー４０の回転に同期させてＬＥＤ２２〜２４を順次に切り替えて発光させる。ポリゴンミラー４０の基準位置マーク４０ｆがマーク検出センサ３３で検出されるとリセット信号がＣＰＵ３０に入力される。ＣＰＵ３０は、メモリ３１の回転位置テーブルを参照しながらパルスカウンタのカウント値を監視することによって、ポリゴンミラー２９の回転位置を識別し、ポリゴンミラー４０の反射面４０ｂが切り替わったか否か（ＬＥＤ２２〜２４からの照明光が照射される反射面４０ｂが後続して回転してきた反射面４０ｂになったか否か）を識別する。
【００４１】
次に、ＬＥＤ２２〜２４の切り替えとポリゴンミラー４０の回転を同期させる際の処理の流れを説明する。
【００４２】
図９に示すように、電源スイッチ１３がオンされると、ポリゴンミラー４０が回転開始する。ポリゴンミラー４０の反射面４０ｂが切り替わって所定角度回転したときにＬＥＤ２２が点灯してＲ光が照射される。Ｒ光はＲ光反射面４０ｃで反射してロッドインテグレータ２７に入射する。Ｒ光の照射中にＬＣＤパネル２１ではＲ光に対応する画像が表示される。ポリゴンミラー４０の反射面４０ｂが切り替わる前にＬＥＤ２２が消灯するとともにＬＣＤパネル２１の画像表示が終了する。Ｒ光がＲ光反射面４０ｃで反射したときは、Ｒ光の光軸Ｌ１がロッドインテグレータ２７の入射面２７ａに効率良く入射するように反射後の照明光の光軸Ｌ１の向きがポリゴンミラー４０の回転に伴って変化する。
【００４３】
この後、ポリゴンミラー４０の反射面４０ｂが切り替わって所定角度回転したときにＬＥＤ２３が点灯してＧ光が照射される。Ｇ光はＧ光反射面４０ｄで反射してロッドインテグレータ２７に入射する。Ｇ光の照射中にＬＣＤパネル２１ではＧ光に対応する画像が表示される。ポリゴンミラー４０の反射面４０ｂが切り替わる前にＬＥＤ２３が消灯するとともにＬＣＤパネル２１の画像表示が終了する。Ｇ光がＧ光反射面４０ｄで反射したときは、Ｇ光の光軸Ｌ２がロッドインテグレータ２７の入射面２７ａに効率良く入射するように反射後の照明光の光軸Ｌ２の向きがポリゴンミラー４０の回転に伴って変化する。
【００４４】
この後、ポリゴンミラー４０の反射面４０ｂが切り替わって所定角度回転したときにＬＥＤ２４が点灯してＢ光が照射される。Ｂ光はＢ光反射面４０ｅで反射してロッドインテグレータ２７に入射する。Ｂ光の照射中にＬＣＤパネル２１ではＢ光に対応する画像が表示される。ポリゴンミラー４０のＢ光反射面４０ｅが切り替わる前にＬＥＤ２４が消灯するとともにＬＣＤパネル２１の画像表示が終了する。Ｂ光がＢ光反射面４０ｅで反射したときは、Ｂ光の光軸Ｌ３がロッドインテグレータ２７の入射面２７ａに効率良く入射するように反射後の照明光の光軸Ｌ３の向きがポリゴンミラー４０の回転に伴って変化する。
【００４５】
ＬＥＤ２４の消灯後、ポリゴンミラー４０の反射面４０ｂが切り替わって所定角度回転したときにＬＥＤ２２が点灯してＲ光が照射され、上記の処理が繰り替えされる。このように、ＬＥＤ２２〜２４がポリゴンミラー２９の回転に同期して点灯するので、各色の光を均等にロッドインテグレータ２７に入射させることができる。また、第１実施形態と異なり、各反射面４０ｂは同一であるため、ポリゴンミラー４０の加工が簡単になり、プロジェクタ１０の製造コストを低減できる。
【００４６】
ロッドインテグレータ２７で密度が均一化された各色の光束は、リレーレンズ２８を通過してＬＣＤパネル２１の受光面に結像する。ＬＣＤパネル２１を透過した画像光は投映レンズ１２に入射し、投映レンズ１２から出射された画像光はスクリーン１５上に投影される。
【００４７】
上記各実施形態では、発光素子としてＬＥＤを用いたが例えばレーザーダイオードなど他の発光素子を用いてもよい。
【００４８】
上記各実施形態では、反射面同士が連なるようにしたが、反射面は軸周りに配置されていれば互いに連なっていなくてもよい。また、傾斜面についても傾斜面が回転多面鏡体の軸方向に沿って並べられていれば、互いに連なっていなくてもよい。
【００４９】
上記各実施形態では、ＬＥＤ２２〜２４を並べて配置したが、並べて配置する発光素子の数及び各ＬＥＤの色は適宜数及び適宜色にしてよい。例えば、Ｒ，Ｇ，Ｂからなる３色の発光色を有する発光素子を並列することも可能である。
【００５０】
上記各実施形態では、光インテグレータとして、ロッドインテグレータを例に挙げたが、フライアイレンズを用いてもよい。
【００５１】
上記各実施形態では、反射面同士を連ならせて軸周りに配置したが、反射面同士は連なっていなくてもよく、例えば反射面同士の間に反射面以外の面を形成するなど、反射面が軸周りに配置されていればポリゴンミラーの形状は適宜形状にしてよい。
【００５２】
上記各実施形態では、携帯用のプロジェクタ１０を挙げて説明したが、例えば、据え置き型のプロジェクタなど他のタイプのプロジェクタに本発明を適用してもよい。
【符号の説明】
【００５３】
１０  プロジェクタ
２２，２３，２４  ＬＥＤ
２９  ポリゴンミラー
２９ａ  軸
２９ｂ  Ｒ光反射面
２９ｃ  Ｇ光反射面
２９ｄ  Ｂ光反射面
３０  ＣＰＵ
３２  ステッピングモータ
４０  ポリゴンミラー
４０ａ  軸
４０ｃ  Ｒ光反射面
４０ｄ  Ｇ光反射面
４０ｅ  Ｂ光反射面
４０ｂ  反射面
【図１】
2011253079.tif 000003
【図２】
2011253079.tif 000004
【図３】
2011253079.tif 000005
【図４】
2011253079.tif 000006
【図５】
2011253079.tif 000007
【図６】
2011253079.tif 000008
【図７】
2011253079.tif 000009
【図８】
2011253079.tif 000010
【図９】
2011253079.tif 000011